(57)【要約】【課題】文書ファイルを容易に編集する。【解決手段】サーバ４は、文書ファイルのファイルデータを文書画像データ３３に変換し、文書画像データ３３と元の文書ファイルのファイルデータとを対応付けた検索ファイルを生成する。携帯電話３のＬＣＤ１４に表示した文書画像データ３３に基づいて、削除する始点及び終点を選択して編集データ５７をサーバ４に送信する。サーバ４は、編集データ５７を受信した時点で生成されている検索ファイル内のファイルデータを読み出し、編集データ５７に基づいて変換したファイル始点・終点座標で囲まれた範囲を削除する。編集されたファイルデータを編集済文書画像データ５９に変換して携帯電話３に送信する。ＬＣＤ１４に編集済文書画像データ５９を表示した状態で確定ボタン５５を選択すると、サーバ４のＣＰＵ２２は、編集されたファイルデータを、元の文書ファイルに反映させて上書きする。【選択図】図１５
2012053664.tif 000002
【特許請求の範囲】
【請求項１】
文書ファイルを格納したサーバと、前記サーバとネットワークを介して接続される携帯端末とから構成され、前記サーバは、前記携帯端末からの閲覧要求にしたがい、前記文書ファイルの内容を表すファイルデータを前記携帯端末の表示パネルで表示可能な形式の画像データに変換して送信する文書ファイル閲覧システムにおいて、
前記サーバは、
前記閲覧要求にしたがって前記文書ファイルの中から前記画像データに変換された領域のファイルデータと前記画像データとを対応付けた検索ファイルを生成する検索ファイル生成手段と、
前記携帯端末からの編集要求を受けた時点での閲覧要求に基づいて前記検索ファイルを参照し、前記編集要求に含まれる位置情報に基づいて前記検索ファイル内のファイルデータ中の編集位置を特定し、且つ前記編集要求に含まれる内容情報に基づいて前記ファイルデータ中のデータを書き換えるファイル編集手段と、
前記ファイル編集手段によって前記検索ファイル内で書き換えられたデータを前記文書ファイルのファイルデータに反映させて上書きする上書き手段と、を有し、
前記携帯端末は、
前記表示パネルに表示された画像データ上での編集位置を指定する編集位置指定手段と、
前記編集位置指定手段で指定された編集位置での編集内容を入力する内容入力手段と、
前記編集位置指定手段で指定された位置情報と、前記内容入力手段で入力された内容情報とを含む前記編集要求を前記サーバに送信する編集要求送信手段と、を有することを特徴とする文書ファイル閲覧システム。
【請求項２】
前記編集要求に文字の挿入が含まれ、
前記ファイル編集手段は、前記文字のフォントを自動的に決定し、決定したフォントの文字を前記ファイルデータに挿入することを特徴とする請求項１記載の文書ファイル閲覧システム。
【請求項３】
前記携帯端末は、前記編集要求に文字の挿入が含まれているときに、前記文字のフォントを指定するフォント指定手段を備え、
前記ファイル編集手段は、前記フォント指定手段で指定されたフォントの文字を前記ファイルデータに挿入することを特徴とする請求項１記載の文書ファイル閲覧システム。
【請求項４】
前記フォントは、文字のサイズ、色、スタイルの少なくとも１つを含むことを特徴とする請求項２または３記載の文書ファイル閲覧システム。
【請求項５】
前記編集要求に図の挿入が含まれ、
前記ファイル編集手段は、前記図を前記ファイルデータに挿入することを特徴とする請求項１ないし４いずれか１つ記載の文書ファイル閲覧システム。
【請求項６】
前記携帯端末は、複数の図の中から前記ファイルデータに挿入する図を選択する選択手段を備えることを特徴とする請求項５記載の文書ファイル閲覧システム
【請求項７】
前記編集要求に文字の削除が含まれ、
前記ファイル編集手段は、前記ファイルデータから文字を削除することを特徴とする請求項１ないし６いずれか１つ記載の文書ファイル閲覧システム。
【請求項８】
前記編集要求に文字の更新が含まれ、
前記ファイル編集手段は、前記ファイルデータの文字を更新することを特徴とする請求項１ないし７いずれか１つ記載の文書ファイル閲覧システム。
【請求項９】
前記サーバは、前記ファイル編集手段によって書き換えられた前記ファイルデータ中のデータを書き換え済みの画像データに変換して前記携帯端末に送信し、
前記携帯端末は、前記書き換え済みの画像データに基づいて、前記上書き手段による上書きを実行させるか否かを決定する実行決定手段を有することを特徴とする請求項１ないし８いずれか１つ記載の文書ファイル閲覧システム。
【請求項１０】
文書ファイルを格納したサーバと、前記サーバとネットワークを介して接続される携帯端末とから構成され、前記サーバは、前記携帯端末からの閲覧要求にしたがい、前記文書ファイルの内容を表すファイルデータを前記携帯端末の表示パネルで表示可能な形式の画像データに変換して送信する文書ファイル閲覧システムの制御方法において、
前記閲覧要求にしたがって前記文書ファイルの中から前記画像データに変換された領域のファイルデータと前記画像データとを対応付けた検索ファイルを生成する検索ファイル生成ステップと、
前記表示パネルに表示された画像データ上での編集位置を指定する編集位置指定ステップと、
前記編集位置指定ステップで指定された編集位置での編集内容を入力する内容入力ステップと、
前記編集位置指定ステップで指定された位置情報と、前記内容入力ステップで入力された内容情報とを含む前記編集要求を前記サーバに送信する編集要求送信ステップと、
前記携帯端末からの編集要求を受けた時点での閲覧要求に基づいて前記検索ファイルを参照し、前記編集要求に含まれる位置情報に基づいて前記検索ファイル内のファイルデータ中の編集位置を特定し、且つ前記編集要求に含まれる内容情報に基づいて前記ファイルデータ中のデータを書き換えるファイル編集ステップと、
前記ファイル編集ステップによって前記検索ファイル内で書き換えられたデータを前記文書ファイルのファイルデータに反映させて上書きする上書きステップと、
を有することを特徴とする文書ファイル閲覧システムの制御方法。
【発明の詳細な説明】
【技術分野】
【０００１】
本発明は、文書ファイル閲覧システム及びその制御方法に関するものである。
【背景技術】
【０００２】
近年、サーバに格納された文書ファイルを携帯電話等の携帯端末で閲覧する文書ファイル閲覧システムとして、携帯端末から送信される配信要求に基づいて、サーバが文書ファイルを画像データに変換した後に携帯端末に送信するシステムが知られている。このシステムでは、携帯端末の表示パネルに画像データを表示することにより、文書ファイルを閲覧することができる。これにより、携帯端末で文書ファイルを画像データに変換する処理を行う必要がなくなるため、携帯端末でのデータ処理量が抑えられる。
【０００３】
また、文書ファイルの閲覧に加えて、携帯端末でサーバの文書ファイルを編集するシステムが提案されている。特許文献１記載の文書編集システム及びプログラムでは、サーバが、携帯端末からの配信要求に応じて、文書ファイルである編集対象文書の所定領域のデータからテキスト情報を抽出して、抽出したテキスト情報を携帯端末に送信し、携帯端末では、表示パネルに表示したテキスト情報を編集して、編集したテキスト情報をサーバに送信する。そして、サーバが、入力された編集済テキスト情報に基づいて、編集対象文書の所定領域のデータを編集している。
【先行技術文献】
【特許文献】
【０００４】
【特許文献１】特開２００９−１２２８０１号公報
【発明の概要】
【発明が解決しようとする課題】
【０００５】
特許文献１では、サーバは、一時保持手段に一時的に保存された複数の文書の中から、携帯端末からの配信要求に応じた文書を検索して編集対象文書としている。そして、携帯端末からの編集情報に基づいて、一時保持手段に保存された編集対象文書を編集している。しかしながら、一時保持手段には、編集対象文書の他にも複数の文書が保存されているため、編集情報に基づいて複数の文書の中から編集対象文書を検索する必要がある。編集情報は、編集後のテキスト情報であるため、この編集済テキスト情報から形式の異なる編集対象文書を検索するのは時間がかかり、これに伴って文書ファイルの編集にも時間がかかる。特に、一時保持手段に複数の文書が保存されている場合には、文編集対象文書の検索に時間がかかり、文書ファイルの編集にも時間がかかる。
【０００６】
本発明は、上記課題を解決するためになされたものであり、携帯端末でサーバ内の文書ファイルを容易に編集することができる文書ファイル閲覧システム及びその制御方法を提供することを目的とする。
【課題を解決するための手段】
【０００７】
上記目的を達成するために、本発明の文書ファイル閲覧システムは、文書ファイルを格納したサーバと、前記サーバとネットワークを介して接続される携帯端末とから構成され、前記サーバは、前記携帯端末からの閲覧要求にしたがい、前記文書ファイルの内容を表すファイルデータを前記携帯端末の表示パネルで表示可能な形式の画像データに変換して送信する文書ファイル閲覧システムにおいて、前記サーバは、前記閲覧要求にしたがって前記文書ファイルの中から前記画像データに変換された領域のファイルデータと前記画像データとを対応付けた検索ファイルを生成する検索ファイル生成手段と、前記携帯端末からの編集要求を受けた時点での閲覧要求に基づいて前記検索ファイルを参照し、前記編集要求に含まれる位置情報に基づいて前記検索ファイル内のファイルデータ中の編集位置を特定し、且つ前記編集要求に含まれる内容情報に基づいて前記ファイルデータ中のデータを書き換えるファイル編集手段と、前記ファイル編集手段によって前記検索ファイル内で書き換えられたデータを前記文書ファイルのファイルデータに反映させて上書きする上書き手段と、を有し、前記携帯端末は、前記表示パネルに表示された画像データ上での編集位置を指定する編集位置指定手段と、前記編集位置指定手段で指定された編集位置での編集内容を入力する内容入力手段と、前記編集位置指定手段で指定された位置情報と、前記内容入力手段で入力された内容情報とを含む前記編集要求を前記サーバに送信する編集要求送信手段と、を有することを特徴とする。なお、前記携帯端末としては、携帯電話、ノートパソコン、ＰＤＡ（Ｐｅｒｓｏｎａｌ  Ｄｉｇｉｔａｌ  Ａｓｓｉｓｔａｎｔ）等が挙げられる。
【０００８】
また、前記編集要求に文字の挿入が含まれ、前記ファイル編集手段は、前記文字のフォントを自動的に決定し、決定したフォントの文字を前記ファイルデータに挿入することが好ましい。
【０００９】
さらに、前記携帯端末は、前記編集要求に文字の挿入が含まれているときに、前記文字のフォントを指定するフォント指定手段を備え、前記ファイル編集手段は、前記フォント指定手段で指定されたフォントの文字を前記ファイルデータに挿入することが好ましい。
【００１０】
また、前記フォントは、文字のサイズ、色、スタイルの少なくとも１つを含むことが好ましい。
【００１１】
さらに、前記編集要求に図の挿入が含まれ、前記ファイル編集手段は、前記図を前記ファイルデータに挿入することが好ましい。
【００１２】
また、前記携帯端末は、複数の図の中から前記ファイルデータに挿入する図を選択する選択手段を備えることが好ましい。
【００１３】
さらに、前記編集要求に文字の削除が含まれ、前記ファイル編集手段は、前記ファイルデータから文字を削除することが好ましい。
【００１４】
さらに、前記編集要求に文字の更新が含まれ、前記ファイル編集手段は、前記ファイルデータの文字を更新することが好ましい。
【００１５】
また、前記サーバは、前記ファイル編集手段によって書き換えられた前記ファイルデータ中のデータを書き換え済みの画像データに変換して前記携帯端末に送信し、前記携帯端末は、前記書き換え済みの画像データに基づいて、前記上書き手段による上書きを実行させるか否かを決定する実行決定手段を有することが好ましい。
【００１６】
本発明の文書ファイル閲覧システムの制御方法は、文書ファイルを格納したサーバと、前記サーバとネットワークを介して接続される携帯端末とから構成され、前記サーバは、前記携帯端末からの閲覧要求にしたがい、前記文書ファイルの内容を表すファイルデータを前記携帯端末の表示パネルで表示可能な形式の画像データに変換して送信する文書ファイル閲覧システムの制御方法において、前記閲覧要求にしたがって前記文書ファイルの中から前記画像データに変換された領域のファイルデータと前記画像データとを対応付けた検索ファイルを生成する検索ファイル生成ステップと、前記表示パネルに表示された画像データ上での編集位置を指定する編集位置指定ステップと、前記編集位置指定ステップで指定された編集位置での編集内容を入力する内容入力ステップと、前記編集位置指定ステップで指定された位置情報と、前記内容入力ステップで入力された内容情報とを含む前記編集要求を前記サーバに送信する編集要求送信ステップと、前記携帯端末からの編集要求を受けた時点での閲覧要求に基づいて前記検索ファイルを参照し、前記編集要求に含まれる位置情報に基づいて前記検索ファイル内のファイルデータ中の編集位置を特定し、且つ前記編集要求に含まれる内容情報に基づいて前記ファイルデータ中のデータを書き換えるファイル編集ステップと、前記ファイル編集ステップによって前記検索ファイル内で書き換えられたデータを前記文書ファイルのファイルデータに反映させて上書きする上書きステップと、を有することを特徴とする。
【発明の効果】
【００１７】
本発明によれば、画像データと、元の文書ファイルのファイルデータとを対応付けた検索ファイルを生成し、携帯端末からの編集要求を受けた時点での閲覧要求に応じた検索ファイルを参照して、編集要求に基づいてファイルデータ中のデータを書き換え、この書き換えられたデータを文書ファイルのファイルデータに反映させて上書きするから、文書ファイルを容易に編集することができる。
【００１８】
また、編集要求に文字の挿入が含まれているときに、ファイル編集手段は、ファイルデータに挿入する文字のフォントを自動的に決定するから、所望のフォントとなるようにセッティングすることにより、所望のフォントの文字を挿入することができる。
【００１９】
さらに、携帯端末は、編集要求に文字の挿入が含まれているときに、ファイルデータに挿入する文字のフォントを指定するフォント指定手段を備えるから、所望のフォントの文字を容易に挿入することができる。
【図面の簡単な説明】
【００２０】
【図１】文書ファイル閲覧システムを示す説明図である。
【図２】携帯電話の電気的構成を示すブロック図である。
【図３】文書選択データを表示した状態を示す説明図である。
【図４】文書画像データを表示した状態を示す説明図である。
【図５】文書画像データの上にメニューボックスを重ねて表示した状態を示す説明図である。
【図６】文書画像データの上に編集メニューボックスを重ねて表示した状態を示す説明図である。
【図７】文書画像データ上で削除始点を選択する状態を示す説明図である。
【図８】文書画像データ上で削除終点を選択する状態を示す説明図である。
【図９】テキストを削除した編集済文書画像データを表示した状態を示す説明図である。
【図１０】テキスト削除用の編集データを示す説明図である。
【図１１】文書画像データ上で挿入位置を選択する状態を示す説明図である。
【図１２】文書画像データの上にテキスト入力ボックスを重ねて表示した状態を示す説明図である。
【図１３】テキストを挿入した編集済文書画像データを表示した状態を示す説明図である。
【図１４】テキスト挿入用の編集データを示す説明図である。
【図１５】文書ファイルからテキストを削除するときの処理の流れを示すフローチャートである。
【図１６】文書ファイルにテキストを挿入するときの処理の流れを示すフローチャートである。
【図１７】編集メニューにテキストの更新を含む第２実施形態の文書画像データの上に編集メニューボックスを重ねて表示した状態を示す説明図である。
【図１８】第２実施形態の文書画像データ上で更新始点を選択する状態を示す説明図である。
【図１９】第２実施形態の文書画像データ上で更新終点を選択する状態を示す説明図である。
【図２０】第２実施形態の文書画像データの上にテキスト入力ボックスを重ねて表示した状態を示す説明図である。
【図２１】第２実施形態のテキストを更新した編集済文書画像データを表示した状態を示す説明図である。
【図２２】第２実施形態のテキスト更新用の編集データを示す説明図である。
【図２３】挿入するテキストのフォントを指定する第３実施形態の文書画像データの上にフォント決定ボックスを重ねて表示した状態を示す説明図である。
【図２４】第３実施形態のテキストを挿入した編集済文書画像データを表示した状態を示す説明図である。
【図２５】第３実施形態のテキスト挿入用の編集データを示す説明図である。
【図２６】図を挿入する第４実施形態の文書画像データの上に図選択ボックスを重ねて表示した状態を示す説明図である。
【図２７】第４実施形態の図を挿入した編集済文書画像データを表示した状態を示す説明図である。
【図２８】第４実施形態の図挿入用の編集データを示す説明図である。
【発明を実施するための形態】
【００２１】
［第１実施形態］
図１及び図２に示すように、文書ファイル閲覧システム２は、携帯電話３と、複数の文書ファイルを格納したサーバ４とを備える。携帯電話３は、インターネット５を介してサーバ４と接続される。
【００２２】
携帯電話３は、固定電話や他の携帯電話と通話を行う通話モードと、サーバ４に接続するインターネットモードとが設けられている。
【００２３】
携帯電話３は、電源ボタン１１と、インターネットモードに移行させるネットボタン１２と、複数の入力ボタン１３ａ、各種設定、選択及び決定を行うメニューキー１３ｂからなる操作部１３と、ＬＣＤ１４とが設けられている。また、携帯電話３は、インターネット５を介してサーバ４と通信を行う携帯通信部１５と、携帯電話３の各部を統括的に制御するＣＰＵ１６と、メモリ１７とが設けられている。
【００２４】
メモリ１７には、複数の電話番号が記憶されており、通話モード時に、メニューキー１３ｂを操作してメモリ１７に記憶された電話番号を読み出すか、入力ボタン１３ａを操作して電話番号を入力すると、携帯通信部１５を介して携帯電話会社の基地局と無線通信が行われる。そして、携帯電話３内部に配されたマイク及びスピーカ（図示せず）を介して、固定電話や他の携帯電話との通話が行われる。
【００２５】
ネットボタン１２の操作により携帯電話３がネットモードに移行すると、ＣＰＵ１６は、サーバ４内の複数の文書ファイルの中から閲覧する文書ファイルを選択する文書選択データ３１（図３参照）を取得するために、文書選択データ要求信号を、携帯通信部１５及びインターネット５を介してサーバ４に送信する。
【００２６】
サーバ４は、インターネット５を介して携帯電話３と通信を行うサーバ通信部２１と、サーバ４の各部を統括的に制御するＣＰＵ２２と、文書選択データ３１及び複数（例えば、５個）の文書ファイルを格納したストレージ２３と、携帯電話３からの要求に基づいてストレージ２３内の文書選択データ３１、または５個の文書ファイルの中から所望の１つを検索する検索部２４とを備える。
【００２７】
また、サーバ４は、検索部２４で検索された文書ファイルを文書画像データ３３（図４参照）に変換する変換部２５と、携帯電話３からの編集情報に基づいて文書ファイルを編集する編集部２６とが設けられている。
【００２８】
携帯電話３からの文書選択データ要求信号をサーバ通信部２１で受信すると、検索部２４は、ストレージ２３内の文書選択データ３１を検索し、ＣＰＵ２２は、この文書選択データ３１を、サーバ通信部２１及びインターネット５を介して携帯電話３に送信する。なお、サーバ４に携帯電話の認証を行う認証部を設け、認証された携帯電話とのみデータ通信を行うようにしてもよい。
【００２９】
図３に示すように、サーバ４からの文書選択データ３１を携帯通信部１５で受信すると、ＣＰＵ１６は、この文書選択データ３１をＬＣＤ１４に表示する。文書選択データ３１には、ストレージ２３内の５個の文書ファイルそれぞれのファイル名がナンバリングされた状態（「１．ｃｃｃ．ｄｏｃ」、「２．ｅｅ．ｄｏｃ」、「３．ｄｄ．ｘｌｓ」、「４．ｆｆ．ｐｐｔ」、「５．ｇｇ．ｐｐｔ」）で記録され、さらには、「閲覧する文書を選択して下さい」というコメント画像が記録されており、これらがＬＣＤ１４に表示される。各ファイル名は、メニューキー１３ｂにより選択可能となっている。
【００３０】
メニューキー１３ｂを操作して、５個のファイル名の中から１つ（例えば、「４．ｆｆ．ｐｐｔ」）を選択すると、ＣＰＵ１６は、選択したファイル名（「ｆｆ．ｐｐｔ」）を示す選択ファイル信号をサーバ４に送信する。
【００３１】
サーバ４の検索部２４は、ストレージ２３内の５個の文書ファイルの中から、サーバ通信部２１で受信した選択ファイル信号に対応した１つを検索する。変換部２５は、検索された文書ファイル（「ｆｆ．ｐｐｔ」）の所定領域（例えば、１ページ）のファイルデータを文書画像データ３３に変換する。ＣＰＵ２２は、この文書画像データ３３を携帯電話３に送信する。また、ＣＰＵ２２は、文書画像データ３３と元の文書ファイルの１ページのファイルデータとを対応付けた検索ファイルを生成する。検索ファイルは、メモリ（図示せず）に記録される。なお、検索ファイルを、ストレージ２３に記録してもよい。
【００３２】
図４に示すように、ＣＰＵ１６は、携帯通信部１５で受信した文書画像データ３３をＬＣＤ１４に表示する。また、ＣＰＵ１６は、文書画像データ３３に対して実施可能なデータ処理項目を表示するためのメニューボタン３６と、文書画像データ３３の表示を終了するための終了ボタン３７とをＬＣＤ１４に表示する。各ボタン３６，３７は、メニューキー１３ｂにより選択可能となっている。
【００３３】
図５に示すように、メニューキー１３ｂを操作してメニューボタン３６を選択すると、ＣＰＵ１６は、メニューボックス４１をＬＣＤ１４の文書画像データ３３の上に重ねて表示する。メニューボックス４１は、文書画像データ３３に対して実施可能な複数（例えば、６個）のデータ処理項目からなり、画像を回転する「［１］画像表示回転」、画像を拡大する「［２］拡大」、画像を縮小する「［３］縮小」、画像を編集する「［４］編集」、次ページの画像を表示する「［５］次ページ」、前ページの画像を表示する「［６］前ページ」が表示され、各データ処理項目はメニューキー１３ｂにより選択可能となっている。
【００３４】
メニューキー１３ｂを操作してメニューボックス４１内の「［１］画像表示回転」を選択すると、ＣＰＵ１６は、文書画像データ３３を所定角度（例えば、９０°）回転する。また、「［２］拡大」を選択すると、文書画像データ３３を所定比率（例えば、１０％）拡大し、「［３］縮小」を選択すると、文書画像データ３３を所定比率（例えば、１０％）縮小する。このように、「［１］画像表示回転」、「［２］拡大」及び「［３］縮小」は、携帯電話３内部で処理される。なお、「［１］画像表示回転」、「［２］拡大」及び「［３］縮小」の各処理を、サーバ４で行ってもよい。
【００３５】
また、メニューキー１３ｂを操作して「［５］次ページ」を選択すると、ＣＰＵ１６は、ＬＣＤ１４に表示している文書画像データ３３の次ページを取得するための次ページ信号を、サーバ４に送信する。サーバ通信部２１で次ページ信号を受信すると、変換部２５は、前回文書画像データに変換した第１ページの次ページである第２ページを、第２ページの文書画像データ３３に変換する。ＣＰＵ２２は、この第２ページの文書画像データ３３を携帯電話３に送信するとともに、第２ページの文書画像データ３３と元の文書ファイルの第２ページのファイルデータとを対応付けた新たな第２ページの検索ファイルを生成する。そして、第２ページの文書画像データ３３がＬＣＤ１４に表示される。同様に、「［６］前ページ」を選択すると、ＬＣＤ１４に表示している文書画像データ３３の前ページの文書画像データ３３を表示する制御が行われる。
【００３６】
図６に示すように、メニューキー１３ｂを操作してメニューボックス４１内の「［４］編集」を選択すると、ＣＰＵ１６は、編集メニューボックス４５をＬＣＤ１４の文書画像データ３３の上に重ねて表示する。編集メニューボックス４５は、文書画像データ３３に対して実施可能な編集処理項目からなり、テキストを削除する「［１］削除」、テキストを挿入する「［２］挿入」が表示され、各編集処理項目はメニューキー１３ｂにより選択可能となっている。
【００３７】
図７に示すように、メニューキー１３ｂを操作して編集メニューボックス４５内の「［１］削除」を選択すると、ＣＰＵ１６は、「削除：始点を選択して下さい」というコメント画像をＬＣＤ１４に表示するとともに、カーソル５１を文書画像データ３３の上に重ねて表示する。また、ＣＰＵ１６は、削除処理をキャンセルして図６に示す状態に戻すためのキャンセルボタン５３をＬＣＤ１４に表示する。
【００３８】
メニューキー１３ｂを操作してカーソル５１を移動し、削除する始点を選択すると、ＣＰＵ１６は、その選択された始点の文書画像データ３３上における位置座標情報（以下、画像始点情報）（ｘ），（ｙ）を検出し、メモリ１７に記録する。なお、画像始点情報（ｘ），（ｙ）は、文書画像データ３３の左下角を、（ｘ），（ｙ）＝（０），（０）としたときの位置情報である。
【００３９】
図８に示すように、削除する始点を選択すると、ＣＰＵ１６は、「削除：終点を選択して下さい」というコメント画像をＬＣＤ１４に表示する。
【００４０】
メニューキー１３ｂを操作して削除する終点を選択すると、ＣＰＵ１６は、画像始点情報（ｘ），（ｙ）と同様に画像終点情報（ｘ），（ｙ）を検出し、文書ファイル名称、ページ番号、編集内容、画像始点情報（ｘ），（ｙ）、画像終点情報（ｘ），（ｙ）からなる編集データ５７（図１０参照）を生成して、この編集データ５７をサーバ４に送信する。
【００４１】
サーバ４の編集部２６は、編集データ５７を受信した時点で閲覧要求に基づいて生成されている検索ファイル内のファイルデータを、編集データ５７に基づいて編集する。詳しくは、編集部２６は、該当する検索ファイル内のファイルデータを読み出して、編集データ５７内の画像始点情報（ｘ），（ｙ）を、読み出したファイルデータ（ページ）上の対応した位置座標であるファイル始点座標（ｘ），（ｙ）に変換する。同様に、編集データ５７内の画像終点情報（ｘ），（ｙ）を、読み出したファイルデータ上のファイル終点座標（ｘ），（ｙ）に変換する。そして、編集部２６は、検索ファイル内のファイルデータ上でファイル始点座標（ｘ），（ｙ）及びファイル終点座標（ｘ），（ｙ）で囲まれた範囲を削除する。
【００４２】
変換部２５は、編集部２６で編集されたファイルデータを、編集済文書画像データ５９（図９参照）に変換する。ＣＰＵ２２は、この編集済文書画像データ５９を携帯電話３に送信する。
【００４３】
図９に示すように、ＣＰＵ１６は、携帯通信部１５で受信した編集済文書画像データ５９をＬＣＤ１４に表示するとともに、「削除：確認して下さい」というコメント画像をＬＣＤ１４に表示する。また、ＣＰＵ１６は、編集（削除）内容を確定し、文書ファイルに対して編集（削除）処理を実行させるための確定ボタン５５をＬＣＤ１４に表示する。
【００４４】
そして、メニューキー１３ｂを操作して確定ボタン５５を選択すると、ＣＰＵ１６は、確定信号をサーバ４に送信する。確定信号を受信すると、サーバ４のＣＰＵ２２は、上記のように編集されたファイルデータを、元の文書ファイルのファイルデータに反映させて上書きする。
【００４５】
また、編集メニューボックス４５をＬＣＤ１４の文書画像データ３３の上に重ねて表示した状態（図６参照）で、編集メニューボックス４５内の「［２］挿入」を選択すると、図１１に示すように、ＣＰＵ１６は、「挿入：挿入位置を選択して下さい」というコメント画像をＬＣＤ１４に表示する。また、削除処理を行うときと同様に、カーソル５１及びキャンセルボタン５３を表示する。
【００４６】
メニューキー１３ｂを操作して挿入位置を選択すると、その選択された挿入位置の文書画像データ３３上における位置座標情報（以下、画像挿入位置情報）（ｘ），（ｙ）をメモリ１７に記録する。
【００４７】
図１２に示すように、挿入位置を選択すると、ＣＰＵ１６は、「挿入：挿入するテキストを入力して下さい」というコメント画像をＬＣＤ１４に表示するとともに、テキストを入力可能なテキスト入力ボックス６１をＬＣＤ１４の文書画像データ３３の上に重ねて表示する。
【００４８】
入力ボタン１３ａ及びメニューキー１３ｂを操作して、テキスト入力ボックス６１に、テキスト（例えば、「確認・」）を入力すると、ＣＰＵ１６は、文書ファイル名称、ページ番号、編集内容、画像挿入位置情報（ｘ），（ｙ）、テキスト情報からなる編集データ６３（図１４参照）を生成して、この編集データ６３をサーバ４に送信する。
【００４９】
サーバ４の編集部２６は、編集データ６３を受信した時点で閲覧要求に基づいて生成されている検索ファイル内のファイルデータを読み出す。次に、編集データ６３内の画像挿入位置情報（ｘ），（ｙ）を、読み出したファイルデータ上の対応した位置座標であるファイル挿入位置座標（ｘ），（ｙ）に変換する。そして、編集部２６は、このファイル挿入位置座標（ｘ），（ｙ）にテキスト（「確認・」）を挿入する。なお、編集部２６は、挿入位置の後のテキスト（「点検」）のフォント（サイズ、色、スタイル等）を、挿入するテキストのフォントとして用いる。これにより、「確認・」と「点検」は同じフォントとなる。
【００５０】
変換部２５は、編集部２６で編集されたファイルデータを、編集済文書画像データ６５（図１３参照）に変換する。ＣＰＵ２２は、この編集済文書画像データ６５を携帯電話３に送信する。
【００５１】
図１３に示すように、携帯電話３のＣＰＵ１６は、編集済文書画像データ６５をＬＣＤ１４に表示するとともに、「挿入：確認して下さい」というコメント画像をＬＣＤ１４に表示する。また、ＣＰＵ１６は、確定ボタン５５をＬＣＤ１４に表示する。
【００５２】
メニューキー１３ｂを操作して確定ボタン５５を選択すると、ＣＰＵ１６は、確定信号をサーバ４に送信する。確定信号を受信すると、サーバ４のＣＰＵ２２は、上記のように編集されたファイルデータを、元の文書ファイルのファイルデータに反映させて上書きする。
【００５３】
次に、上記第１実施形態の作用について、図１５及び図１６のフローチャートを用いて説明を行う。先ず、携帯電話３のネットボタン１２を操作すると、携帯電話３はインターネットモードに移行してインターネット５を介してサーバ４と接続され（ステップ（以下、Ｓ）１）、ＣＰＵ１６は、文書選択データ要求信号を、携帯通信部１５、インターネット５を介してサーバ４に送信する。
【００５４】
サーバ４は、文書選択データ要求信号を受信すると、ストレージ２３内の文書選択データ３１を、サーバ通信部２１、インターネット５を介して携帯電話３に送信する（Ｓ２）。
【００５５】
携帯電話３は、携帯通信部１５で受信した文書選択データ３１をＬＣＤ１４に表示する（Ｓ３）。メニューキー１３ｂを操作して、５個のファイル名の中から１つ（例えば、「４．ｆｆ．ｐｐｔ」）を選択する（Ｓ４）と、選択したファイル名（「ｆｆ．ｐｐｔ」）を示す選択ファイル信号をサーバ４に送信する。
【００５６】
検索部２４は、ストレージ２３内の５個の文書ファイルの中から、サーバ通信部２１で受信した選択ファイル信号に対応した１つを検索する（Ｓ５）。変換部２５は、検索された文書ファイル（「ｆｆ．ｐｐｔ」）の１ページ目のファイルデータを文書画像データ３３に変換する（Ｓ６）。そして、ＣＰＵ２２は、文書画像データ３３を携帯電話３に送信する（Ｓ７）とともに、文書画像データ３３と元の文書ファイルのファイルデータとを対応付けた検索ファイルを生成してＲＡＭに記録する（Ｓ８）。
【００５７】
携帯電話３は、携帯通信部１５で受信した文書画像データ３３をＬＣＤ１４に表示する（Ｓ９）。また、ＣＰＵ１６は、文書画像データ３３に対して実施可能なデータ処理項目を表示するためのメニューボタン３６と、文書画像データ３３の表示を終了するための終了ボタン３７とをＬＣＤ１４に表示する。
【００５８】
メニューボタン３６を選択し、メニューボックス４１をＬＣＤ１４の文書画像データ３３の上に重ねて表示した状態で、メニューボックス４１内の「［４］編集」を選択する（Ｓ１０）と、ＣＰＵ１６は、編集メニューボックス４５をＬＣＤ１４の文書画像データ３３の上に重ねて表示する（Ｓ１１）。
【００５９】
編集メニューボックス４５内の「［１］削除」を選択する（Ｓ１２でＹ）と、ＣＰＵ１６は、「削除：始点を選択して下さい」というコメント画像をＬＣＤ１４に表示するとともに、カーソル５１を文書画像データ３３の上に重ねて表示する。
【００６０】
削除する始点を選択する（Ｓ１３）と、ＣＰＵ１６は、選択された始点の画像始点情報（ｘ），（ｙ）を検出し、これをメモリ１７に記録する。
【００６１】
削除する終点を選択する（Ｓ１４）と、ＣＰＵ１６は、選択された終点の画像終点情報（ｘ），（ｙ）を検出し、文書ファイル名称、ページ番号、編集内容、画像始点情報（ｘ），（ｙ）、画像終点情報（ｘ），（ｙ）からなる編集データ５７を生成して、この編集データ５７をサーバ４に送信する（Ｓ１５）。
【００６２】
サーバ４の編集部２６は、編集データ５７を受信した時点で閲覧要求に基づいて生成されている検索ファイル内のファイルデータを読み出す（Ｓ１６）。次に、編集データ５７内の画像始点情報（ｘ），（ｙ）を、読み出したファイルデータ上のファイル始点座標（ｘ），（ｙ）に変換し（Ｓ１７）、編集データ５７内の画像終点情報（ｘ），（ｙ）を、読み出したファイルデータ上のファイル終点座標（ｘ），（ｙ）に変換し（Ｓ１８）、これらファイル始点座標（ｘ），（ｙ）及びファイル終点座標（ｘ），（ｙ）で囲まれた範囲を削除する（Ｓ１９）。
【００６３】
変換部２５は、編集されたファイルデータを編集済文書画像データ５９に変換し（Ｓ２０）、この編集済文書画像データ５９を携帯電話３に送信する（Ｓ２１）。
【００６４】
携帯電話３は、編集済文書画像データ５９をＬＣＤ１４に表示し（Ｓ２２）、「削除：確認して下さい」というコメント画像、確定ボタン５５をＬＣＤ１４に表示する。
【００６５】
確定ボタン５５を選択する（Ｓ２３）と、ＣＰＵ１６は、確定信号をサーバ４に送信する。確定信号を受信すると、サーバ４のＣＰＵ２２は、上記のように編集されたファイルデータを、元の文書ファイルのファイルデータに反映させて上書きする（Ｓ２４）。
【００６６】
一方、編集メニューボックス４５内の「［２］挿入」を選択する（Ｓ１２でＮ、Ｓ２５でＹ）と、ＣＰＵ１６は、「挿入：挿入位置を選択して下さい」というコメント画像をＬＣＤ１４に表示する。
【００６７】
挿入位置を選択する（Ｓ２６）と、ＣＰＵ１６は、選択された挿入位置の画像挿入位置情報（ｘ），（ｙ）をメモリ１７に記録する。また、「挿入：挿入するテキスト入力して下さい」というコメント画像をＬＣＤ１４に表示するとともに、テキスト入力ボックス６１をＬＣＤ１４の文書画像データ３３の上に重ねて表示する。
【００６８】
入力ボタン１３ａ及びメニューキー１３ｂを操作して、テキスト入力ボックス６１に、テキスト（例えば、「確認・」）を入力する（Ｓ２７）と、ＣＰＵ１６は、文書ファイル名称、ページ番号、編集内容、画像挿入位置情報（ｘ），（ｙ）、テキスト情報からなる編集データ６３を生成し、この編集データ６３をサーバ４に送信する（Ｓ２８）。
【００６９】
サーバ４の編集部２６は、編集データ６３を受信した時点で閲覧要求に基づいて生成されている検索ファイル内のファイルデータを読み出す（Ｓ２９）。次に、編集データ６３内の画像挿入位置情報（ｘ），（ｙ）を、読み出したファイルデータ上の対応した位置座標であるファイル挿入位置座標（ｘ），（ｙ）に変換し（Ｓ３０）、このファイル挿入位置座標（ｘ），（ｙ）にテキスト（「確認・」）を挿入する（Ｓ３１）。なお、編集部２６は、挿入位置の後のテキスト（「点検」）のフォント（サイズ、色、スタイル等）を、挿入するテキストのフォントとして用いる。
【００７０】
変換部２５は、編集されたファイルデータを編集済文書画像データ６５に変換し（Ｓ３２）、この編集済文書画像データ６５を携帯電話３に送信する（Ｓ３３）。
【００７１】
携帯電話３は、編集済文書画像データ６５をＬＣＤ１４に表示し（Ｓ３４）、「削除：確認して下さい」というコメント画像、確定ボタン５５をＬＣＤ１４に表示する。
【００７２】
確定ボタン５５を選択する（Ｓ３５）と、ＣＰＵ１６は、確定信号をサーバ４に送信する。確定信号を受信すると、サーバ４のＣＰＵ２２は、上記のように編集されたファイルデータを、元の文書ファイルのファイルデータに反映させて上書きする（Ｓ３６）。
【００７３】
［第２実施形態］
図１７〜及び図２２に示す第２実施形態の文書ファイル閲覧システムでは、上記第１実施形態のテキストの削除（「［１］削除」）及びテキストの挿入（「［２］挿入」）に加えて、テキストの更新（「［３］更新」）を行う。なお、第１実施形態のものと同様の構成部材には同一の符号を付し、その詳細な説明を省略する。
【００７４】
図１７に示すように、メニューキー１３ｂを操作してメニューボックス４１内の「［４］編集」を選択すると、「［１］削除」、「［２］挿入」、テキストを更新する「［３］更新」を選択可能な編集メニューボックス７１が、ＬＣＤ１４の文書画像データ３３の上に重ねて表示される。
【００７５】
図１８に示すように、メニューキー１３ｂを操作して編集メニューボックス４５内の「［３］更新」を選択すると、ＣＰＵ１６は、「更新：始点を選択して下さい」というコメント画像をＬＣＤ１４に表示するとともに、カーソル５１を文書画像データ３３の上に重ねて表示する。
【００７６】
更新する始点を選択すると、画像始点情報（ｘ），（ｙ）を検出してメモリ１７に記録し、図１９に示すように、ＣＰＵ１６は、「更新：終点を選択して下さい」というコメント画像をＬＣＤ１４に表示する。
【００７７】
更新する終点を選択すると、画像終点情報（ｘ），（ｙ）を検出してメモリ１７に記録する。また、図２０に示すように、ＣＰＵ１６は、「更新：更新するテキスト入力して下さい」というコメント画像をＬＣＤ１４に表示するとともに、テキストを入力可能なテキスト入力ボックス７２をＬＣＤ１４の文書画像データ３３の上に重ねて表示する。
【００７８】
入力ボタン１３ａ及びメニューキー１３ｂを操作して、テキスト入力ボックス７２に、テキスト（例えば、「いく」）を入力すると、ＣＰＵ１６は、文書ファイル名称、ページ番号、編集内容、画像始点情報（ｘ），（ｙ）、画像終点情報（ｘ），（ｙ）、テキスト情報からなる編集データ７３（図２２参照）を生成し、この編集データ７３をサーバ４に送信する。
【００７９】
サーバ４の編集部２６は、編集データ７３を受信した時点で閲覧要求に基づいて生成されている検索ファイル内のファイルデータを読み出す。次に、編集データ７３内の画像始点情報（ｘ），（ｙ）をファイル始点座標（ｘ），（ｙ）に変換し、編集データ７３内の画像終点情報（ｘ），（ｙ）をファイル終点座標（ｘ），（ｙ）に変換し、これらファイル始点座標（ｘ），（ｙ）及びファイル終点座標（ｘ），（ｙ）で囲まれた範囲（「いこうという」）を、編集データ７３内のテキスト（「いく」）に更新する。
【００８０】
なお、編集部２６は、ファイル始点座標（ｘ），（ｙ）及びファイル終点座標（ｘ），（ｙ）で囲まれた範囲（「いこうという」）のフォント（サイズ、色、スタイル等）を、更新するテキストのフォントとして用いる。
【００８１】
変換部２５は、編集部２６で編集されたファイルデータを、編集済文書画像データ７５（図２１参照）に変換する。ＣＰＵ２２は、この編集済文書画像データ７５を携帯電話３に送信する。
【００８２】
図２１に示すように、携帯電話３のＣＰＵ１６は、携帯通信部１５で受信した編集済文書画像データ７５をＬＣＤ１４に表示するとともに、「更新：確認して下さい」というコメント画像をＬＣＤ１４に表示する。
【００８３】
確定ボタン５５を選択すると、ＣＰＵ１６は、確定信号をサーバ４に送信する。確定信号を受信すると、サーバ４のＣＰＵ２２は、上記のように編集されたファイルファイルデータを、元の文書ファイルのファイルデータに反映させて上書きする。
【００８４】
［第３実施形態］
図２３〜図２５に示す第３実施形態の文書ファイル閲覧システムでは、挿入するテキストのフォントを指定する。なお、第１実施形態のものと同様の構成部材には同一の符号を付し、その詳細な説明を省略する。
【００８５】
テキスト入力ボックス６１に、テキスト（例えば、「確認・」）を入力すると、図２３に示すように、ＣＰＵ１６は、「挿入：テキストのフォントを決定して下さい」というコメント画像をＬＣＤ１４に表示するとともに、挿入するテキストのフォントを決定するためのフォント決定ボックス８１をＬＣＤ１４の文書画像データ３３の上に重ねて表示する。
【００８６】
フォント決定ボックス８１は、挿入するテキストのフォントとして、サイズ、色、スタイルがそれぞれ選択可能となっている。
【００８７】
メニューキー１３ｂを操作して、テキストのフォントを決定する（例えば、サイズ＝２０、色＝黒、スタイル＝明朝斜体）と、ＣＰＵ１６は、文書ファイル名称、ページ番号、編集内容、画像挿入位置情報（ｘ），（ｙ）、テキスト情報、フォント情報からなる編集データ８３（図２５参照）を生成して、この編集データ８３をサーバ４に送信する。
【００８８】
サーバ４の編集部２６は、編集データ８３を受信した時点で閲覧要求に基づいて生成されている検索ファイル内のファイルデータを読み出す。次に、編集データ８３内の画像挿入位置情報（ｘ），（ｙ）をファイル挿入位置座標（ｘ），（ｙ）に変換する。そして、編集部２６は、ファイル挿入位置座標（ｘ），（ｙ）に、編集データ８３内のフォント情報に基づいて作成したテキスト（「確認・」、サイズ＝２０、色＝黒、スタイル＝明朝斜体）を挿入する。
【００８９】
変換部２５は、編集部２６で編集されたファイルデータを、編集済文書画像データ８５（図２４参照）に変換する。ＣＰＵ２２は、この編集済文書画像データ８５を携帯電話３に送信する。
【００９０】
図２４に示すように、携帯電話３のＣＰＵ１６は、編集済文書画像データ８５をＬＣＤ１４に表示するとともに、「挿入：確認して下さい」というコメント画像をＬＣＤ１４に表示する。そして、確定ボタン５５を選択すると、ＣＰＵ１６は、確定信号をサーバ４に送信する。確定信号を受信すると、サーバ４のＣＰＵ２２は、上記のように編集されたファイルデータを、元の文書ファイルのファイルデータに反映させて上書きする。
【００９１】
［第４実施形態］
図２６〜図２８に示す第４実施形態の文書ファイル閲覧システムでは、文書ファイルに図を挿入する。なお、第１実施形態のものと同様の構成部材には同一の符号を付し、その詳細な説明を省略する。
【００９２】
図２６に示すように、挿入位置を選択すると、その選択された挿入位置の画像挿入位置情報（ｘ），（ｙ）をメモリ１７に記録する。また、ＣＰＵ１６は、「挿入：挿入する図を選択して下さい」というコメント画像をＬＣＤ１４に表示するとともに、挿入する図を選択する図選択ボックス９１をＬＣＤ１４の文書画像データ３３の上に重ねて表示する。携帯電話３のメモリ１７には、４個の図（図Ａ〜図Ｄ）が記録されており、図選択ボックス９１には、「図Ａ」、「図Ｂ」、「図Ｃ」、「図Ｄ」が表示され、メニューキー１３ｂにより選択可能となる。
【００９３】
メニューキー１３ｂを操作して、図選択ボックス９１に表示された「図Ａ」〜「図Ｄ」の中から１つ（例えば、「図Ａ」）を選択すると、ＣＰＵ１６は、文書ファイル名称、ページ番号、編集内容、画像挿入位置情報（ｘ），（ｙ）、図情報（図Ａの情報）からなる編集データ９３（図２８参照）を生成して、この編集データ９３をサーバ４に送信する。
【００９４】
サーバ４の編集部２６は、編集データ７３を受信した時点で閲覧要求に基づいて生成されている検索ファイル内のファイルデータを読み出す。次に、編集データ９３内の画像挿入位置情報（ｘ），（ｙ）をファイル挿入位置座標（ｘ），（ｙ）に変換する。そして、編集部２６は、ファイル挿入位置座標（ｘ），（ｙ）に、編集データ９３内の図情報の「図Ａ」（図２７参照）を挿入する。
【００９５】
変換部２５は、編集部２６で編集されたファイルデータを、編集済文書画像データ９５（図２７参照）に変換する。ＣＰＵ２２は、この編集済文書画像データ９５を携帯電話３に送信する。
【００９６】
図２７に示すように、携帯電話３のＣＰＵ１６は、編集済文書画像データ９５をＬＣＤ１４に表示するとともに、「挿入：確認して下さい」というコメント画像をＬＣＤ１４に表示する。そして、確定ボタン５５を選択すると、ＣＰＵ１６は、確定信号をサーバ４に送信する。確定信号を受信すると、サーバ４のＣＰＵ２２は、上記のように編集されたファイルデータを、元の文書ファイルのファイルデータに反映させて上書きする。
【００９７】
なお、上記実施形態では、挿入位置の後のテキストのフォントを、挿入するテキストのフォントとして用いているが、予め設定されたフォントのテキストを挿入するようにしてもよく、この場合には、ユーザによるフォント設定を可能にすることが好ましい。
【００９８】
また、上記実施形態では、文書ファイルの１ページ分のファイルデータを文書画像データに変換しているが、文書画像データに変換する領域は１ページに限らず、適宜変更可能である。
【００９９】
さらに、ファイルデータの編集により、文書中の行が増加または減少し、他のページのファイルデータにも編集処理が必要になる場合には、その編集処理も行う。例えば、１ページ目への行追加の編集により、１ページ目の最終行が２ページ目に移動する場合には、それに応じて、２ページ目に上記１ページ目の最終行を挿入するとともに、２ページ目を１行ずつ下に移動させる編集処理を行い、それ以降のページでも同様に行う。
【符号の説明】
【０１００】
２  文書ファイル閲覧システム
３  携帯電話
４  サーバ
５  インターネット
１４  ＬＣＤ
１６  ＣＰＵ
２２  ＣＰＵ
２３  ストレージ
２４  検索部
２５  変換部
２６  編集部
３３  文書画像データ
５７，６３，７３，８３，９３  編集データ
５９，６５，７５，８５，９５  編集済文書画像データ
【図１】
2012053664.tif 000003
【図２】
2012053664.tif 000004
【図３】
2012053664.tif 000005
【図４】
2012053664.tif 000006
【図５】
2012053664.tif 000007
【図６】
2012053664.tif 000008
【図７】
2012053664.tif 000009
【図８】
2012053664.tif 000010
【図９】
2012053664.tif 000011
【図１０】
2012053664.tif 000012
【図１１】
2012053664.tif 000013
【図１２】
2012053664.tif 000014
【図１３】
2012053664.tif 000015
【図１４】
2012053664.tif 000016
【図１５】
2012053664.tif 000017
【図１６】
2012053664.tif 000018
【図１７】
2012053664.tif 000019
【図１８】
2012053664.tif 000020
【図１９】
2012053664.tif 000021
【図２０】
2012053664.tif 000022
【図２１】
2012053664.tif 000023
【図２２】
2012053664.tif 000024
【図２３】
2012053664.tif 000025
【図２４】
2012053664.tif 000026
【図２５】
2012053664.tif 000027
【図２６】
2012053664.tif 000028
【図２７】
2012053664.tif 000029
【図２８】
2012053664.tif 000030